【事件の表示】
　特願２００１−３４０６８１「発光素子」拒絶査定不服審判事件〔平成１５年　５月１６日出願公開、特開２００３−１４２２７０〕について、次のとおり審決する。
【結　論】
　本件審判の請求は、成り立たない。
【理　由】
１．手続の経緯及び本願発明
　本願は、平成１３年１１月６日の出願であって、特許請求の範囲の請求項１乃至７に係る発明は、平成１５年１１月７日付け及び平成１６年６月２８日付けの手続補正書により補正された明細書及び図面の記載からみて、その請求項１乃至７に記載されたとおりのものと認められるところ、その請求項１に記載された発明（以下、「本願発明」という。）は次のとおりのものである。
　「陽極、ホール輸送層、発光層、電子輸送層および陰極を順に積層した積層構造からなり、前記発光層が電荷を輸送するホスト材料と燐光材料とを含む発光素子であって、
　前記ホスト材料が下記一般式（化１）であり、
　前記発光層と前記電子輸送層とが直接接していることを特徴とする発光素子。
【化１】
　　　
　　
（Ｒ１及びＲ２は少なくとも２つの窒素原子を含む含窒素芳香環もしくは含窒素芳香環誘導体を有する架橋配位子あるいはハロゲン、炭素数１〜３のアルキルを有する架橋配位子から選ばれる１つであり、すべて同じでもよく、異なっていてもよい。Ｒ３，Ｒ４，Ｒ５およびＲ６はそれぞれ水素、アルキル、アリール、アリール誘導体及び少なくとも１つの窒素原子を含む含窒素芳香環もしくは含窒素芳香環誘導体から選ばれる１つであり、すべて同じでもよく、異なっていてもよい。Ｍ１，Ｍ２は中心金属。）」
　
２．先願明細書に記載された発明
　これに対して、原査定の拒絶の理由に引用された、本願の出願日前の他の出願であって、その出願後に出願公開された特願２００１−３３９４２５号（特開２００３−１４２２６５号公報参照）の願書に最初に添付した明細書（以下、「先願明細書」という。）には、発光素子に関して次の発明が記載されている。
ア．【０００１】に、「【発明の属する技術分野】本発明は、発光素子材料および発光素子に関するものであり、特に高輝度で発光効率が高く、耐久性に優れる発光素子に関するものである。」の記載。
イ．特許請求の範囲に、
「【請求項１】基板上に設けた一対の電極間に発光層を含む有機化合物層を形成した発光素子において、該有機化合物層の少なくとも１層に一般式（Ｉ）で表される化合物とりん光発光性化合物を含有することを特徴とする発光素子。
　　（一般式（Ｉ）の記載省略）
　一般式（Ｉ）中、Ｚ１およびＺ２は窒素原子とともに５員環を形成するのに必要な非金属原子群を表し、この環は置換基を有していてもよく、また更に別の環と縮合環を形成してもよい。Ｌ１、Ｌ２、Ｌ３およびＬ４はそれぞれ水素原子、アルキル基、アリール基または含窒素芳香環基を表し、Ｍは金属原子を表す。
【請求項２】前記一般式（Ｉ）で表される化合物がピラザボール構造を有することを特徴とする請求項１記載の発光素子。
【請求項３】前記ピラザボール構造を有する化合物が４，４，８，８−テトラキス（１Ｈ−ピラゾール−１−イル）ピラザボールであることを特徴とする請求項２記載の発光素子。」の記載。
ウ．５頁〜７頁に、前記一般式（Ｉ）で表される化合物の具体例、ｐ−１）〜ｐ−２０）が記載されている。
エ．【００６１】に、「本発明の発光素子は陽極、陰極の一対の電極間に発光層を含む複数の有機化合物層を形成した素子であり、発光層のほか正孔注入層、正孔輸送層、電子注入層、電子輸送層、保護層などを有してもよく、またこれらの各層はそれぞれ他の機能を備えたものであってもよい。各層の形成にはそれぞれ種々の材料を用いることができる。」の記載。
オ．【００６６】に、
「正孔注入層、正孔輸送層の材料は、陽極から正孔を注入する機能、正孔を輸送する機能、陰極から注入された電子を障壁する機能のいずれか有しているものであればよい。その具体例としては、カルバゾール、トリアゾール、オキサゾール、オキサジアゾール、イミダゾール、ポリアリールアルカン、ピラゾリン、ピラゾロン、フェニレンジアミン、アリールアミン、アミノ置換カルコン、スチリルアントラセン、フルオレノン、ヒドラゾン、スチルベン、シラザンおよびこれらの誘導体、芳香族第三級アミン化合物、スチリルアミン化合物、芳香族ジメチリディン系化合物、ポルフィリン系化合物、ポリシラン系化合物、ポリ（Ｎ−ビニルカルバゾール）およびその誘導体、アニリン系共重合体、チオフェンオリゴマー、ポリチオフェン等の導電性高分子オリゴマー、カーボン膜等が挙げられる。正孔注入層、正孔輸送層の膜厚は特に限定されるものではないが、通常１ｎｍ〜５μｍの範囲のものが好ましく、より好ましくは５ｎｍ〜１μｍであり、更に好ましくは１０ｎｍ〜５００ｎｍである。正孔注入層、正孔輸送層は上述した材料の１種または２種以上からなる単層構造であってもよいし、同一組成または異種組成の複数層からなる多層構造であってもよい。」の記載。
カ．【００６７】に、
「電子注入層、電子輸送層の材料は、陰極から電子を注入する機能、電子を輸送する機能、陽極から注入された正孔を障壁する機能のいずれか有しているものであればよい。その具体例としては、トリアゾール、オキサゾール、オキサジアゾール、フルオレノン、アントラキノジメタン、アントロン、ジフェニルキノン、チオピランジオキシド、カルボジイミド、フルオレニリデンメタン、ジスチリルピラジン、ナフタレンやペリレン等の芳香環テトラカルボン酸無水物、フタロシアニンおよびこれらの誘導体、８−キノリノールおよびその誘導体の金属錯体やメタルフタロシアニン、ベンゾオキサゾールやベンゾチアゾールを配位子とする金属錯体に代表される各種金属錯体等が挙げられる。電子注入層、電子輸送層の膜厚は特に限定されるものではないが、通常１ｎｍ〜５μｍの範囲のものが好ましく、より好ましくは５ｎｍ〜１μｍであり、更に好ましくは１０ｎｍ〜５００ｎｍである。電子注入層、電子輸送層は上述した材料の１種または２種以上からなる単層構造であってもよいし、同一組成または異種組成の複数層からなる多層構造であってもよい。」の記載。
キ．【００６９】〜【００７２】に、
　「実施例１
　洗浄した２５ｍｍ×２５ｍｍ×０．７ｍｍのガラス基板上にＩＴＯを１５０ｎｍの厚さで製膜したもの（東京三容真空（株）製）を透明支持基板とした。この透明支持基板をエッチング、洗浄後、テトラキス（４−ジフェニルアミノフェニル）シラン約５０ｎｍ、表１記載の発光層（ホスト材料と発光材料の質量比は、およそ９４：６）を約３６ｎｍ、下記化合物Ａ約３６ｎｍをこの順に１０−３〜１０−４Ｐａの真空中で、基板温度室温の条件下蒸着した。有機薄膜上にパターニングしたマスク（発光面積が５ｍｍ×４ｍｍとなるマスク）を設置し、蒸着装置内でマグネシウム：銀＝１０：１を２５０ｎｍ共蒸着した後、更に銀３００ｎｍを蒸着し、ＥＬ素子Ｎｏ．１０１〜１１６を作製した。東陽テクニカ製ソースメジャーユニット２４００型を用いて、直流定電圧をＥＬ素子に印加し発光させ、その輝度をトプコン社の輝度計ＢＭ−８、また発光波長については浜松ホトニクス社製スペクトルアナライザーＰＭＡ−１１を用いて測定した。その結果を表１に示す。
　・・・・・・・・・・・
　また、これらの素子をアルゴンガスで置換したオートクレーブ中に封入し、８５℃の加熱条件下３日間保存した後に、同様の輝度測定・および発光面状観察を行った結果も表１に示す。表１の結果から、文献化合物であるＣＢＰをホスト材料に用いた比較用の素子（素子Ｎｏ．１０１〜１０４）では作成直後の輝度および外部量子効率が低く、高温保存した後に大幅な輝度低下およびダークスポットの発生が見られるのに対し、本発明のホスト材料を用いた素子（素子Ｎｏ．１０５〜１１６）では作成直後の輝度および外部量子効率が良好であり、また高温保存した後の輝度低下は少なく、発光面状も良好であり、作成直後の発光特性と保存耐久性ともに優れていることが分かる。また、本発明の素子Ｎｏ．１１６からりん光発光性化合物を除いた素子Ｎｏ．１１７では十分な輝度が得られず外部量子効率も低かった。」の記載。
　
　したがって、先願明細書、特に実施例１には、「陽極、テトラキス（４−ジフェニルアミノフェニル）シラン層、発光層、化合物Ａ層および陰極を順に積層した積層構造からなり、前記発光層がホスト材料と燐光材料とを含む発光素子であって、前記ホスト材料が一般式（Ｉ）で表される化合物であり、発光層と化合物Ａ層とが直接接している発光素子。」（以下、「先願発明」という。）が記載されているといえる。
　
３．対比・判断
　本願発明と先願発明とを対比する。
　先願明細書の「一般式（Ｉ）で表される化合物」が、本願発明の「一般式（化１）で表される化合物」の定義中に包含されることは明らかである。
　また、先願発明では、発光層に含有させるホスト材料として一般式（Ｉ）で表される化合物を用いているが、前記したように、該一般式（Ｉ）で表される化合物は本願発明の一般式（化１）で表される化合物の定義中に包含される物であるから、先願明細書のホスト材料は、本願発明のホスト材料と同様、電荷を輸送する機能を有するといえる。
　よって、「陽極、発光層、陰極を積層した積層構造からなり、前記発光層が電荷を輸送するホスト材料と燐光材料とを含む発光素子であって、前記ホスト材料が一般式（化１）である発光素子。」である点で両者は一致し、（１）発光層と陰極との間に積層され、且つ発光層と直接接する層が、本願発明は電子輸送層であるのに対して、先願発明の特に実施例１では化合物Ａ層である点、（２）陽極と発光層との間に積層される層が、本願発明はホール輸送層であるのに対して、先願発明の特に実施例１ではテトラキス（４−ジフェニルアミノフェニル）シラン層である点、で一応相違する。
　
　前記相違点（１）、（２）について検討する。
　（１）について
　先願明細書には、発光素子の積層構造に関して、その【００６１】に「本発明の発光素子は陽極、陰極の一対の電極間に発光層を含む複数の有機化合物層を形成した素子であり、発光層のほか正孔注入層、正孔輸送層、電子注入層、電子輸送層、保護層などを有してもよく、またこれらの各層はそれぞれ他の機能を備えたものであってもよい。各層の形成にはそれぞれ種々の材料を用いることができる。」と記載されている。したがって、先願発明は、発光層と陰極との間に「電子注入層、電子輸送層」を有することは明らかである。
　また、先願明細書の【００６７】には、「電子注入層、電子輸送層の材料は、陰極から電子を注入する機能、電子を輸送する機能、陽極から注入された正孔を障壁する機能のいずれか有しているものであればよい。その具体例としては、トリアゾール、・・等が挙げられる。・・・。電子注入層、電子輸送層は上述した材料の１種または２種以上からなる単層構造であってもよいし、同一組成または異種組成の複数層からなる多層構造であってもよい。」旨記載されている。
　したがって、先願明細書には、電子注入層、電子輸送層を単層構造で構成する場合が記載されており、その単層構造は電子輸送機能を有することは明らかである。
　そして、先願明細書の【００６１】、【００６７】の記載内容を前提にしてその実施例１では、発光層と陰極との間に積層される単層構造の層として化合物Ａ層を用いているのであるから、前述したことからして、該化合物Ａ層が電子輸送機能を有していることは明らかである。
　さらに、先願明細書の【００６７】には、電子注入層、電子輸送層の材料として、例えばトリアゾールを用いる旨記載されるが、該化合物Ａはトリアゾール系化合物であることからしても、該化合物Ａ層は電子輸送機能を有しているといえる。
　以上述べたことからして、先願発明の化合物Ａ層は、電子輸送機能を有しており、電子輸送層であるといえるから、本願発明と先願発明とで、相違点（１）に実質的な差異はない。
　
　（２）について
　先願明細書には、発光素子の積層構造に関して、その【００６１】に「本発明の発光素子は陽極、陰極の一対の電極間に発光層を含む複数の有機化合物層を形成した素子であり、発光層のほか正孔注入層、正孔輸送層、電子注入層、電子輸送層、保護層などを有してもよく、またこれらの各層はそれぞれ他の機能を備えたものであってもよい。各層の形成にはそれぞれ種々の材料を用いることができる。」と記載されている。したがって、先願発明は、陽極と発光層との間に「正孔注入層、正孔輸送層」を有することは明らかである。
　また、先願明細書の【００６６】には、「正孔注入層、正孔輸送層の材料は、陽極から正孔を注入する機能、正孔を輸送する機能、陰極から注入された電子を障壁する機能のいずれか有しているものであればよい。・・・。正孔注入層、正孔輸送層は上述した材料の１種または２種以上からなる単層構造であってもよいし、同一組成または異種組成の複数層からなる多層構造であってもよい。」旨記載されている。
　したがって、先願明細書には、正孔注入層、正孔輸送層を単層構造で構成する場合が記載されており、その単層構造は正孔輸送機能を有することは明らかである。
　そして、先願明細書の【００６１】、【００６６】の記載内容を前提にしてその実施例１では、陽極と発光層との間に積層される単層構造の層としてテトラキス（４−ジフェニルアミノフェニル）シラン層を用いているのであるから、前述したことからして、テトラキス（４−ジフェニルアミノフェニル）シラン層が正孔輸送機能を有していることは明らかである。
　以上述べたことからして、先願発明のテトラキス（４−ジフェニルアミノフェニル）シラン層は、正孔輸送機能を有しており、正孔輸送層であるといえるから、本願発明と先願発明とで、相違点（２）に実質的な差異はない。
　
４．むすび
　以上のとおり、本願発明は、先願明細書に記載された発明と同一であり、しかも、本願発明の発明者が先願明細書に記載された発明の発明者と同一であるとも、また、本願の出願時に、その出願人が前記他の出願の出願人と同一であるとも認められないので、本願発明は、特許法第２９条の２の規定により特許を受けることができない。
　よって、結論のとおり審決する。